(57)【要約】【課題】千変万化の色彩特性を備え、耐久性を向上できる彩色装飾線材を提供する。【解決手段】一本以上の色の違う彩色線２２を有する。透明のプラスチック性外皮２３は、押し出しまたは射出方式をもって彩色線２２に成形され、彩色線２２に完全に覆い被せられ、それの表面には外へ延伸する少なくとも一つの連接片２３０が設けられている。各連接片２３０は彩色装飾線材の軸方向に沿って延伸し、彩色装飾線材は連接片２３０によって品物３に固定される。彩色線２２によって彩色装飾線材は千変万化の色彩特性を備えることができる。透明プラスチック性外皮２３が彩色線２２に完全に覆い被せられているので、彩色線２２の耐久性を大幅に向上することができる。【選択図】図２
0003143542.tif 000002
【実用新案登録請求の範囲】
【請求項１】
一本以上の色の違う彩色線と、
押し出しまたは射出方式をもって前記彩色線に成形され、前記彩色線に完全に覆い被せられ、表面には外へ延伸する少なくとも一つの連接片が設けられ、各前記連接片は前記彩色線の軸方向に沿って延伸され、前記連接片によって品物に固定される透明のプラスチック性外皮と、
を備えることを特徴とする彩色装飾線材。
【請求項２】
更に前記彩色線が表面に巻きつけられることに用いられる少なくとも一本の支え線材を含むことを特徴とする請求項１記載の彩色装飾線材。
【請求項３】
前記彩色線は、一芯以上の色彩の違う糸線またはテープ状線材から編み織りしてなることを特徴とする請求項１または請求項２記載の彩色装飾線材。
【請求項４】
前記テープ状線材は、ポリエステルフィルムマイラーを材料としていることを特徴とする請求項３記載の彩色装飾線材。
【請求項５】
前記支え線材は、一芯以上の糸線またはテープ状線材から編み織りしてなることを特徴とする請求項２記載の彩色装飾線材。
【請求項６】
前記支え線材は、可塑性プラスチック材であることを特徴とする請求項２記載の彩色装飾線材。
【請求項７】
前記支え線材は、金属材料であることを特徴とする請求項２記載の彩色装飾線材。
【考案の詳細な説明】
【技術分野】
【０００１】
本考案は、彩色装飾線材に関するものであり、特に、少なくとも一本の彩色線が設けられ、押し出しまたは射出方式をもって彩色線に透明なプラスチック性外皮を覆い被せたものである。
【背景技術】
【０００２】
科学技術の進展は日進月歩であり、かつ人々は、生活の品質を向上させることが望ましいので、各業種は絶えず新製品の開発に努力している。このような勢いはハイテク製品の領域に限らず、人々の生活に関連する一般用品についても、消費者の便利性、実用性または外観に対する多方面の要求によって不断に改善され、それによって競争力が向上している。各製造メーカが製品設計を行うときは、製品が消費者の外観に対する要求に符合するか、または、製品が消費者の機能に対する要求に符合するかを考慮し、大きなコストを投入して研究開発を行い、使用者がより満足する商品を製造している。
【０００３】
一般的に、人々が外出するときには、多くの身の回りの品物、例えば、鍵、携帯電話及び硬貨等を携帯する。特に、小型電子製品が大いに普及している現在では、人々が外出するときに携帯する品物はこれまでより更に多くなっている。従って、様々な新しいバッグまたはハンドバッグが絶えずに販売され、それらは種類、数量または機能など、すべてが増加または進歩している。消費者は、個人の好みによって自分に合ったバッグまたはハンドバッグ（例えば、化粧バッグ、小銭入れ、かばん、ハンドバッグ）を買うことができ、大量のバッグまたはハンドバッグが市場に販売されているので、各製造メーカにとって、いかにして多くの製品の中から抜き出て、消費者をひきつけることは一つの課題になる。
【０００４】
従来のハンドバッグは、図１に示すように、袋１１、ふた１２及びバンド１３から構成されている。袋１１には品物を入れるための収納空間が設けられ、ふた１２の一端は袋１１の頂上面の一側に設けられている。ふた１２は袋１１の頂上面に覆い被せることができ、ふた１２の他端は袋１１の他の一側まで覆い被せられるように延伸している。バンド１３の両端はそれぞれ、手で持つことができるように袋１１の両端面に設けられる。ハンドバッグの袋１１とふた１２の縁には、複数の装飾筋１４が設けられている。装飾筋１４はハンドバッグを装飾して美感を増やすことに用いられる。また、装飾筋１４は、それに設けられている薄片１４０によって、袋１１及びふた１２の縁内に縫い上げられている。
【０００５】
ところが、上述の従来のハンドバッグの装飾筋１４は実際の使用に於いて、つぎの欠点が見られる。
１．装飾筋１４は、通常、押し出し成形方式で製造されるので、通常は単一色彩しかなく、装飾筋１４の色は添加される顔料によって単調または不規則な変化に現れ、透明かつ鮮やかな変化を生じることができず、そのために装飾筋１４はハンドバッグの全体的美感を増やすことが難しい。
【０００６】
２．もし彩色糸線を編み織りしてなる線材を直接用いて装飾筋１４として使用する場合、加工が面倒で、手数がかかり、かつ装飾筋１４の表面は汚れやすくなり、洗浄が難しく、並びに磨耗及び脱落しやすくなり、色彩の耐久性も大幅に低下する。
このために、いかにして前記従来の技術に生じる欠点を突破するかは、各製造メーカの努力すべき重要な課題である。
【考案の開示】
【考案が解決しようとする課題】
【０００７】
これに鑑み、従来のハンドバッグの装飾筋の色が単調で、ハンドバッグの全体的美感を増やすことができないことを改善するため、本考案の考案者は、長期の努力研究と実験を経た後、遂に本考案の彩色装飾線材を開発することができた。
本考案の目的は、少なくとも一本の色の違う彩色線が設けられ、かつ彩色線には透明のプラスチック性外皮が設けられ、プラスチック性外皮は押し出しまたは射出方式をもって前記彩色線に成形され、かつ前記彩色線に覆い被せられ、それによって透明かつ鮮やかで千変万化の色彩特性を持った彩色装飾線材を提供することである。
【０００８】
本考案の別の目的は、前記透明のプラスチック性外皮の表面には外へ延伸する少なくとも一つの連接片が設けられ、かつ各連接片は前記彩色装飾線材の軸方向に沿って延伸し、前記彩色装飾線材は、連接片によってある品物、例えば、皮靴、皮ジャンパー、バッグ、化粧バッグ、ソーファまたは椅子等の皮または織物、の継ぎ目に固定され、その品物の皮材または織物の色彩に合わせて品物全体の美感を有効に増やす彩色装飾線材を提供することである。
本考案の更に一つの目的は、少なくとも一本の支え線材が備えられ、支え線材の表面に、構造強度を増やすように彩色線が容易に巻き付けられることができる彩色装飾線材を提供することである。
【課題を解決するための手段】
【０００９】
本考案は、一本以上の色の違う彩色線と、押し出しまたは射出方式をもって彩色線に成形され、彩色線に完全に覆い被せられ、表面には外へ延伸する少なくとも一つの連接片が設けられ、各連接片は彩色装飾線材の軸方向に沿って延伸し、彩色装飾線材は連接片によってある品物に固定される透明のプラスチック性外皮とを備えることを特徴とする彩色装飾線材である。
【考案を実施するための最良の形態】
【００１０】
本考案の実施形態を図面に基づいて説明する。
（第一実施形態）
本考案は彩色装飾線材の一種であり、図２に示すように、本考案の第一実施形態による彩色装飾線材は、少なくとも一本の色の違う彩色線２２と透明プラスチック性外皮２３とから構成されている。彩色線２２は一芯以上の色の違う糸線２２０またはテープ状線２２０を編み織りしてなり、それは彩色装飾線材に千変万化の色彩特性を持たせる。透明プラスチック性外皮２３は、押し出し（ｅｘｔｒｕｓｉｏｎ  ｍｏｌｄｉｎｇ）または射出方式をもって彩色線２２に成形され、かつ彩色線２２に完全に覆い被せられ、彩色装飾線材は透明かつ鮮やかな外観効果を備えるようになる。このように、彩色線２２は、透明プラスチック性外皮２３を通じて色彩を表すことができる。また、彩色装飾線材は、透明かつ鮮やかで千変万化の色彩特性を備えるほか、更に透明プラスチック性外皮２３の保護によって彩色線２２の色彩及び使用上の耐久性を増やすことができる。
【００１１】
また、透明プラスチック性外皮２３の表面には少なくとも一つの連接片２３０が設けられ、かつ各連接片２３０は前記彩色装飾線材の軸方向に沿って延伸している。前記彩色装飾線材は、連接片２３０によってある品物３、例えば、皮靴、皮ジャンパー、バッグ、化粧バッグ、ソーファまたは椅子等の皮または織物、の継ぎ目に固定される。このように彩色装飾線材は、品物３の皮材または織物の色彩に合わせ、品物３の全体的美感を増やすことができる。
【００１２】
（第二実施形態）
図３に示すように、本考案の第二実施形態による彩色装飾線材は、更に少なくとも一本の支え線材２１が含まれる。支え線材２１の表面には、彩色線２２が巻きつけられる。各支え線材２１は一芯以上の糸線またはテープ状線材から編み織りしてなる。また、支え線材２１は、可塑性プラスチック材または金属材料、例えば、銅線、アルミ合金線、または、スチール線、からなる。従って、彩色装飾線材の構造強度が向上し、並びに彩色線２２が支え線材２１の表面に容易に巻き付くことができる。
【００１３】
図２及び３に示すように、本考案の第一実施形態及び第二実施形態に於いて、テープ状線材２２０はポリエステルフィルムマイラーを材料とし、テープ状線材２２０によって彩色装飾線材の視覚美感を向上し、かつテープ状線材２２０の観察可能な表面には特殊な文字、図形、もしくは個人の名前または会社名を印刷することや、品物３の美感を増やすことができる。また、個人化のニーズに符合するほか、なおかつ広告効果が得られる。
【００１４】
（考案の効果）
以上をまとめると、本考案の彩色装飾線材によれば、次の効能、目的が達成される。
１．彩色線によって彩色装飾線材は千変万化の色彩特性を備えることができ、従来の装飾線に単一色彩しかなく、または、単調または不規則変化である欠点を改善することができる。
２．透明プラスチック性外皮によって彩色装飾線材は透明かつ鮮やかな外観効果を備えることができ、彩色装飾線材の色彩特性は更に透明鮮やかな色彩変化が得られる。
【００１５】
３．透明プラスチック性外皮が彩色線に完全に覆い被せられているので、彩色線の表面が汚れることを避けることができ、かつ彩色線の磨耗及び脱線現象を免れ、彩色線の耐久性を大幅に向上することができる。
４．テープ状線材の上に特殊な文字、図形、もしくは個人の名前または会社名を印刷することや、品物の美感を増やすことができるほか、広告の効果が得られ、並びに個人化のニーズに符合することができる。
以上に述べたのは本考案の最適具体実施形態だけであり、本考案の構造特徴はそれに局限されず、如何なるその技術を熟知するものが本考案の領域に於いて軽易に思い及べる変化または改修はすべて本考案の請求範囲内に含まれるものとする。
【図面の簡単な説明】
【００１６】
【図１】従来のハンドバッグ及びそれの装飾線を示す斜視図である。
【図２】本考案の第一実施形態による彩色装飾線材を示す模式図である。
【図３】本考案の第二実施形態による彩色装飾線材を示す模式図である。
【符号の説明】
【００１７】
３：品物、２１：支え線材、２２：彩色線、２３：透明プラスチック性外皮、２２０：糸線またはテープ状線材、２３０：連接片
【図１】
0003143542.tif 000003
【図２】
0003143542.tif 000004
【図３】
0003143542.tif 000005